【手続補正書】
【提出日】平成29年12月4日(2017.12.4)
【手続補正１】
【補正対象書類名】特許請求の範囲
【補正対象項目名】全文
【補正方法】変更
【補正の内容】
【特許請求の範囲】
【請求項１】
支持面を画定する支持構造を含むシート組立体に隣接する空間の温度を調節する方法であって、
第１の調節モードまたは期間の間、前記支持面内に位置するか、あるいは前記支持面に沿って位置するか、あるいは前記支持面の下方に位置する伝導性発熱素子を第１の目標温度に達するまで作動させ、それによって支持面を伝導的に加熱することと、
第２の調節モードまたは期間の間、流体供給デバイスと対流式温度調節デバイスとを含む流体モジュールを、第２の目標温度に達するまで作動させることと、
加熱された空気を、少なくとも部分的にシートクッション内に形成された分散システムを通じて前記流体モジュールから前記支持面に送って前記支持面に隣接する空間を対流式に加熱することと、
前記第１の目標温度に達したときに、前記伝導性発熱素子を停止させることと、
を含み、
前記第１の調節モードまたは期間は概して、前記第２の調節モードまたは期間に先行して、または前記第２の調節モードまたは期間と同時に用いられ、
前記伝導性発熱素子は、前記第２の調節モードまたは期間の間、少なくとも２つの異なるレベルの間を循環するように構成されている、方法。
【請求項２】
前記伝導性発熱素子は、抵抗発熱素子である、請求項１に記載の方法。
【請求項３】
前記対流式温度調節デバイスは熱電素子を含む、請求項１または２に記載の方法。
【請求項４】
前記シート組立体は乗物内に配置される、請求項１から３のいずれか１項に記載の方法。
【請求項５】
前記シート組立体に隣接する位置の温度が所望の目標温度よりも低くなったときに、制御モジュールを使用して、前記伝導性発熱素子、前記流体供給デバイス、および前記対流式温度調節デバイスのうちの少なくとも１つを作動させることをさらに含む、請求項１から４のいずれか１項に記載の方法。
【請求項６】
前記伝導性発熱素子、前記流体供給デバイス、および前記対流式温度調節デバイスのうちの少なくとも１つを使用して、前記シート組立体のシートカバリングの概ね下方の空間内で熱を発生させることをさらに含む、請求項１から５のいずれか１項に記載の方法。
【請求項７】
前記伝導性発熱素子、前記流体供給デバイス、および前記対流式温度調節デバイスのうちの少なくとも１つを使用して、前記シート組立体のシートカバリングの概ね下方でかつ前記シート組立体の前記シートクッションの概ね上方の空間内で熱を発生させることをさらに含む、請求項１から５のいずれか１項に記載の方法。
【請求項８】
前記流体モジュールを作動させる前記ステップは、前記伝導性発熱素子が作動させられてから少なくとも６０秒後に開始する、請求項１から７のいずれか１項に記載の方法。
【請求項９】
前記伝導性発熱素子と前記流体モジュールはどちらも、ある期間の間作動させられ、前記期間の間、前記伝導性発熱素子および前記流体モジュールに供給される総電流は実質的に一定である、請求項１から８のいずれか１項に記載の方法。
【請求項１０】
前記シート組立体は、周囲温度がしきい値温度よりも低い場合、前記第１の調節モードまたは期間と前記第２の調節モードまたは期間の両方において同時に動作するように構成され、
前記シート組立体は、前記周囲温度が前記しきい値温度よりも高い場合、前記第１の調節モードまたは期間と前記第２の調節モードまたは期間のうちの一方において動作するように構成されている、請求項１から９のいずれか１項に記載の方法。
【請求項１１】
前記シート組立体は、前記第１の調節モードまたは期間と前記第２の調節モードまたは期間が互いに同時に行われているときに、前記周囲温度が前記しきい値温度よりも高くなった場合は、前記第１の調節モードまたは期間と前記第２の調節モードまたは期間との間の循環動作を開始するように構成される、請求項１０に記載の方法。
【請求項１２】
前記伝導性発熱素子、前記流体供給デバイス、および前記対流式温度調節デバイスによって消費される総電力を測定することと、
前記総電力が所定の電力を超えたときに、前記伝導性発熱素子、前記流体供給デバイス、および前記対流式温度調節デバイスのうちの少なくとも１つを停止させることと、をさらに含む、請求項１から１１のいずれか１項に記載の方法。
【請求項１３】
フィードバック制御を使用して環境制御シート組立体の温度を調節する方法であって、
前記シート組立体の所望の動作設定に関する指示を受け取ることと、
少なくとも１つの温度センサを使用して前記シート組立体において行われる温度調節のレベルに関連する温度を検知することと、
前記所望の動作設定および前記検知された温度を制御モジュールに供給することであって、前記制御モジュールが、前記所望の動作設定および前記検知された温度に基づいて前記シート組立体に隣接する空間の温度を調節するように発熱素子および流体モジュールを選択的に管理するように構成され、前記流体モジュールが、流体移送デバイスと熱電デバイスとを有することと、
前記制御モジュールを使用して、前記発熱素子、前記流体移送デバイス、および前記熱電デバイスのうちの少なくとも１つを作動または停止させることと、を含み、
前記発熱素子は、前記シート組立体の支持面の近くに配置され、前記支持面を伝導的に加熱するように構成され、
前記流体モジュールが、加熱されるかまたは冷却された空気を前記シート組立体のシートクッション内に少なくとも部分的に形成された流体分散システムを選択的に通過させて、前記支持面に隣接する空間を対流式に加熱または冷却するように構成され、
前記制御モジュールは、前記発熱素子、前記流体移送デバイス、および前記熱電デバイスのうちの少なくとも１つを選択的に作動または停止させて、前記所望の動作設定を維持するようになっており、
前記制御モジュールは、前記シート組立体を含む乗物の点火システムの状況を示す信号を受信するように構成され、前記点火システムがオンにされたときに前記発熱素子、前記流体移送デバイス、および前記熱電デバイスのうちの少なくとも１つを作動させるようになっている、方法。
【請求項１４】
前記シート組立体の前記所望の動作設定は、一般的な温度設定に対応する、請求項１３に記載の方法。
【請求項１５】
前記シート組立体の前記所望の動作設定は、特定の温度または温度範囲に対応する、請求項１３または１４に記載の方法。
【請求項１６】
前記シート組立体は、シートバック部とシートボトム部とを有し、前記シートバック部の前記所望の動作設定は、前記シートボトム部の前記所望の動作設定とは異なる、請求項１３から１５のいずれか１項に記載の方法。
【請求項１７】
フィードバック制御を使用して環境制御シート組立体の温度を調節する方法であって、
前記シート組立体の所望の動作設定に関する指示を受け取ることと、
少なくとも１つの温度センサを使用して前記シート組立体において行われる温度調節のレベルに関連する温度を検知することと、
前記所望の動作設定および前記検知された温度を制御モジュールに供給することと、
前記制御モジュールを使用して前記シート組立体に隣接する空間の温度を調節するように発熱素子および流体モジュールを選択的に管理することであって、前記流体モジュールが流体移送デバイスと熱電デバイスとを有することと、
前記検知された温度が所望の設定値温度よりも低いときに、前記発熱素子と前記流体モジュールの少なくとも一方を加熱動作モードで動作させることと、
前記検知された温度が前記所望の設定値温度よりも高いときに、前記発熱素子と前記流体モジュールの少なくとも一方を冷却動作モードで動作させることと、
前記検知された温度が所定の期間にわたって所望の設定値温度よりも所定の差分だけ高いときに、前記発熱素子と前記流体モジュールの少なくとも一方の動作を加熱動作モードから冷却動作モードに切り替えることと、
前記検知された温度が所定の期間にわたって前記所望の設定値温度よりも所定の差分だけ低いときに、動作を冷却動作モードから加熱動作モードに切り替えることと、を含む方法。
【請求項１８】
前記所定の差分は摂氏２度である、請求項１７に記載の方法。
【請求項１９】
前記所定の期間は６秒である、請求項１７または１８に記載の方法。
【請求項２０】
前記発熱素子は、前記発熱素子の測定温度が所定の目標温度に達するまで単独で動作させられる、請求項１７から１９のいずれか１項に記載の方法。
【請求項２１】
前記所定の目標温度は、前記所望の設定値温度の所定の温度オフセット内である、請求項２０に記載の方法。
【請求項２２】
前記所定の温度オフセットは摂氏２０度である、請求項２１に記載の方法。
【請求項２３】
前記所定の目標温度に達したときに前記発熱素子の動作が中断され前記流体モジュールの動作が開始される、請求項２０から２２のいずれか１項に記載の方法。
【請求項２４】
前記発熱素子の動作は、前記流体モジュールが動作している時に中断される、請求項１７から２３のいずれか１項に記載の方法。
【請求項２５】
環境制御シート組立体であって、
外面を有するシートクッションと、
前記シートクッションを通って延びており、入口を有する供給通路と、
空気を前記シートクッションの支持面に沿って分散させるように構成された少なくとも１つの分散通路を有し、前記供給通路と連通する分散システムと、
前記シートクッションの前記外面の上方に配置されたシートカバリングと、
前記シートカバリングと前記供給通路の前記入口との間に配置された熱源と、
前記供給通路の前記入口に動作可能に連結された流体モジュールであって、前記分散システムと前記供給通路との間で空気を移動させるように構成された流体移送デバイスを含む流体モジュールと、
前記流体モジュールによって移動させられた前記空気を加熱するように構成された熱電デバイスと、
ユーザによって生成された入力信号を受信したときに、前記熱源、前記流体モジュール、および前記熱電デバイスを第１の調節モードおよび第２の調節モードの一方または両方において動作させ、加熱または冷却された空気を前記シートクッションの前記外面に供給し、前記第１の調節モードと前記第２の調節モードが互いに同時に動作しているときに、周囲温度がしきい値温度よりも高くなった場合は、前記第１の調節モードと前記第２の調節モードとの間の循環動作を開始するように構成された制御システムと、を含む環境制御シート組立体。